(57)【特許請求の範囲】
【請求項１】
装着筒２を容器体口頚部９外周に嵌合させて装着固定させるとともに、頂板部12中央を貫通する案内筒13を設け、且つ、容器体内に垂下させた周壁に複数の窓孔11を穿設してなる筒状の支持ケース３と、該支持ケース底部中央に設けた吸い込み弁Ａ周囲の支持ケース底部に下端を嵌着固定させて上方へ伸縮可能に起立させた蛇腹管４と、上記蛇腹管上端に下端を連結して上下動自在に支持させるとともに、上記案内筒13を介して支持ケース３の頂板部12上方に上端を突設し、且つ、内部に吐出弁Ｂを形成してなるステム５と、該ステム上端に嵌着固定したノズル６付き押し下げヘッド７とを備え、蛇腹管４の伸長状態でステム外周下端を案内筒13内周下端に摺接係止可能に構成し、全体を合成樹脂により形成してなることを特徴とする液体噴出ポンプ。
【請求項２】
上記案内筒13内面に周設した下向き段部34にステム５外面下端部に周設した上向き段部33を当接係止させるとともに、上記上向き段部33下方の外周に突周設した係止突条35外面を上記下向き段部34下方の案内筒13内面に摺接させて、蛇腹管４の伸張状態でステム外周下端を案内筒13内面下端に摺接係止させてなる請求項１記載の液体噴出ポンプ。
【請求項３】
上記ノズル６を、前方突出状態から下方垂下状態に回動可能に構成するとともに、前方突出状態でのみノズル孔とステム５とが連通する如く構成し、ノズル垂下状態で先端が支持ケースの頂板部12上面に係止されてヘッドの押し下げが不能に構成してなる請求項１記載の液体噴出ポンプ。
【請求項４】
上記ステム５と支持ケース３との間にステムの上下動が可能で且つ回動を不能にする回り止め機構Ｃを設けるとともに、上記押し下げヘッド７をステム５上端外周に液密且つ回動可能に嵌合させ、且つ、ステム５上部に穿設した連通孔46とノズル基端開口とをヘッド７のステム５に対する回動により連通させてノズル６の開閉を行う如く構成してなる請求項１記載の液体噴出ポンプ。
【請求項５】
上記ステム５外周下端を案内筒13内周下端に摺接係止した状態でヘッド下部に着脱可能にスペーサー49を介在させてなる請求項１記載の液体噴出ポンプ。
【発明の詳細な説明】
【０００１】
【発明の属する技術分野】
本発明は液体噴出ポンプに関する。
【０００２】
【従来の技術】
液体噴出ポンプとして、上端の押し下げヘッドを押し下げることにより内部のポンプ機構の作用によりヘッドのノズル孔より液を噴出させる如く構成した、所謂、押し下げヘッド式のポンプが知られている。
これらの例として、例えば、容器体口頚部に嵌合させた装着キャップにより上端部を固定して下部を容器体内へ垂下させたシリンダと、シリンダ内に上下動可能に嵌合させた環状ピストンを下端外周より突設して上下動可能に設けるとともに、上端をシリンダ上方へ突出さたステムと、ステム上端に嵌着させたノズル付きの押し下げヘッドとを備え、シリンダ下端部に吸い込み弁を、ステム内上部には吐出弁をそれぞれ設け、ステム及び押し下げヘッドからなる上下動部材をコイルスプリングにより常時上方に付勢させ、このスプリングの付勢に抗して上下動部材を押し下げることにより、シリンダ内の液を加圧して吐出弁を開いてノズルより液を噴出し、また、ヘッドの押圧を解除するとスプリングにより上下動部材が上昇し、シリンダ内が負圧化して吐出弁がとじ、吸い込み弁が開いて容器体内の液をシリンダ内に導入する如く構成している。
【０００３】
【発明が解決しようとする課題】
従来のこの種ポンプはその構成部品の一部に金属を使用する場合が多く、例えば、吸い込み弁，吐出弁を構成する玉状弁体或いは上下動部材を上方付勢させるコイルスプリング等を金属で形成している。しかしながら、近年の廃棄物処理事情では、金属とプラスチックの分別処理が要望され、従来のものでは、金属パーツが微細であること、内部に密閉されていること等の理由等によりこの分別が極めて困難であった。
本発明はこの様な事情に鑑み、全体を全て合成樹脂により形成して分別処理の必要性をなくし、また、ポンプ機能に於いても従来品同様の優れた機能を発揮でき、しかも、液漏れがなく、装着する容器体の負圧による凹みを良好に防止出来る優れた液体噴出用ポンプを提案するものである。
【０００４】
【課題を解決するための手段】
本請求項１発明のポンプは上記課題を解決するため、装着筒２を容器体口頚部９外周に嵌合させて装着固定させるとともに、頂板部12中央を貫通する案内筒13を設け、且つ、容器体内に垂下させた周壁に複数の窓孔11を穿設してなる筒状の支持ケース３と、該支持ケース底部中央に設けた吸い込み弁Ａ周囲の支持ケース底部に下端を嵌着固定させて上方へ伸縮可能に起立させた蛇腹管４と、上記蛇腹管上端に下端を連結して上下動自在に支持させるとともに、上記案内筒13を介して支持ケース３の頂板部12上方に上端を突設し、且つ、内部に吐出弁Ｂを形成してなるステム５と、該ステム上端に嵌着固定したノズル６付き押し下げヘッド７とを備え、蛇腹管４の伸長状態でステム外周下端を案内筒13内周下端に摺接係止可能に構成し、全体を合成樹脂により形成してなることを特徴とする液体噴出ポンプとして構成した。
【０００５】
また、請求項２発明のポンプは、上記案内筒13内面に周設した下向き段部34にステム５外面下端部に周設した上向き段部33を当接係止させるとともに、上記上向き段部33下方の外周に突周設した係止突条35外面を上記下向き段部34下方の案内筒13内面に摺接させて、蛇腹管４の伸張状態でステム外周下端を案内筒13内面下端に摺接係止させてなる請求項１記載の液体噴出ポンプとして構成した。
【０００６】
また、請求項３発明のポンプは、上記ノズル６を、前方突出状態から下方垂下状態に回動可能に構成するとともに、前方突出状態でのみノズル孔とステム５とが連通する如く構成し、ノズル垂下状態で先端が支持ケースの頂板部12上面に係止されてヘッドの押し下げが不能に構成してなる請求項１記載の液体噴出ポンプとして構成した。
【０００７】
また、請求項４発明のポンプは、上記ステム５と支持ケース３との間にステムの上下動が可能で且つ回動を不能にする回り止め機構Ｃを設けるとともに、上記押し下げヘッド７をステム５上端外周に液密且つ回動可能に嵌合させ、且つ、ステム５上部に穿設した連通孔46とノズル基端開口とをヘッド７のステム５に対する回動により連通させてノズル６の開閉を行う如く構成してなる請求項１記載の液体噴出ポンプとして構成した。
【０００８】
また、請求項５発明のポンプは、上記ステム５外周下端を案内筒13内周下端に摺接係止した状態でヘッド下部に着脱可能にスペーサー49を介在させてなる請求項１記載の液体噴出ポンプとして構成した。
【０００９】
【発明の実施の形態】
以下、本発明の実施例の形態を図面を参照して説明する。
本発明の液体噴出ポンプ１は、全体を合成樹脂で形成したもので、装着筒２付きの支持ケース３と、蛇腹管４と、ステム５と、ノズル６付き押し下げヘッド７とを主要部材として備えている。
【００１０】
支持ケース３は、底部中央及び頂板部中央を開口した筒状で上部外周に下面を開口した二重筒状に装着筒２を突設し、装着筒２を容器体８の口頚部９外周に嵌合させることにより、その下端を容器体内に垂下させて装着固定される。また、容器体内に垂下させた周壁には複数の窓孔11を穿設するとともに、その頂板部12中央にはステム５を貫通させるための案内筒13を貫設しており、底部中央には吸い込み弁Ａを設けている。更に、吸い込み弁Ａに連通させて容器体内下端部に垂下させるパイプ14を連結している。
図１に示す実施例は、装着筒２を回動可能に設けた例を示し、支持ケース３を、ケース本体15と、係止部材16と、装着筒部材17とで構成している。
【００１１】
ケース本体15は、底壁18周縁部より周壁19を立設させた上端開口の筒状をなし、周壁外周上部から外方へフランジ20を突設し、該フランジ直下の周壁を肉厚に形成し、また、底壁中央部を上方へ円筒状に膨出させた膨出部18a を形成し、その頂板中央に吸い込み弁の弁孔となる透孔を開口している。また、底壁裏面からパイプ嵌合用の嵌合筒21を垂設し、この嵌合筒内面にパイプ14の上端を嵌着させ、下端を容器体下端部に垂下させている。
【００１２】
上記窓孔11は、支持ケース３の重量を軽減するとともに、容器体内の負圧化解消のための吸気孔の役割を果たすもので、本実施例では縦長矩形状の窓孔11を周方向等間隔に６本程度設けている。但し、窓孔11の数及び形状は特に限定されないが、液が侵入した場合を考慮して、その下端が支持ケース３の底壁18部分に至るものが好ましい。
【００１３】
係止部材16は、ケース本体15の周壁上端外周に凹凸係合手段を介して抜け出し不能に嵌合させた嵌合筒22の上端縁より、中央に上記した案内筒13を貫設し、且つ、支持ケース３の頂板部12を構成する頂板部12a を延設し、また、頂板部12a 裏面周縁部より垂設したシール筒23をケース本体15の周壁内面上端部に密嵌させている。
【００１４】
装着筒部材17は、内周に螺条を施した装着筒２の上端縁より内方へ取り付け用のフランジ24を延設し、該フランジ内周縁部をケース本体15のフランジ20と、係止部材16の嵌合筒22との間に回動可能に遊嵌させている。そして、ケース本体15の下端を容器体内に挿入垂下させるとともに、ケース本体周壁の上記肉厚部を容器体口頚部９内面上端に密嵌させ、口頚部９上面に当接させたフランジ20周縁部を装着筒部材17のフランジ24により圧接係止させている。
【００１５】
上記吸い込み弁Ａは、支持ケース３の上記透孔を開閉可能に閉塞する弁部材25を装着して形成している。弁部材25は、図２に示す如く、嵌合用の周壁26上端より内方へ周方向複数の弾性板部27を突設し、各弾性板部27内側端に外周縁を一体に連結した弁板28を設けて構成しており、周壁をケース本体15の上記膨出部18a 外面に嵌着するとともに、弁板により透孔を閉塞している。
尚、吸い込み弁Ａは上記したものに限らず、例えば、図５及び図６に示す如き弁部材25a を採用して吸い込み弁Ａを構成することも可能である。
【００１６】
この弁部材25a は、上端縁より内方へ、また、下端縁より外方へ、それぞれフランジを突設した形状の筒状基部29を有し、該基部の上端縁より一体に立設したコイルスプリング30を周方向複数設け、その上端に中央部が球面状に凹んだ弁板31を延設して構成している。また、この弁部材25a を装着する支持ケース３は、上記膨出部18a の透孔周縁部より嵌合筒部32を立設し、上記筒状基部29を膨出部18a を被覆して嵌着固定するとともに、コイルスプリング30を嵌合筒部32外周に嵌合させ、且つ、弁板31により嵌合筒部32上端開口を閉塞して装着する。
【００１７】
蛇腹管４は、上記吸い込み弁Ａ周囲の支持ケース底部に下端を液密に嵌着固定させて上方へ伸縮可能に起立させている。本実施例では、下端に大径の下部連結筒4aを、上端に小径の上部連結筒4bを有し、各連結筒間をジグザグに凹凸する筒状の伸縮壁4cで連結した形状をなし、上記弁部材25の周壁外周とケース本体周壁19内面下端部との間にその下部連結筒4aを挟着固定させて上方へ起立させている。また、蛇腹管４の長さは実際のストロークより若干長く形成して、後述するステム外周と案内筒内周との摺接係止状態が可能に構成している。
蛇腹管４上方には上下動可能に支持されるステム５及び押し下げヘッド７を備えている。
【００１８】
ステム５は蛇腹管４内と連通して、その中の液を上方の押し下げヘッド７に導入させるための導管で、上下端を開口した筒状をなし、その下端部を上記蛇腹管上端外周に液密に嵌着固定させており、その上端を上記案内筒13を介して支持ケース３の頂板部12上方に上下動可能に突出している。
また、ステム５の外面下部に形成した上向き段部33が、上記案内筒13内面下部に周設した下向き段部34に当接してそれ以上のステムの引き上げを不能に構成するとともに、上向き段部33下部のステム外周下端部に周設した係止突条35を上記下向き段部34下方の案内筒13内面下端部に摺接させ、この部分の良好な液密性を維持する如く構成している。この係止突条35は強制的に案内筒13内面下端部に乗り上げており、使用時の蛇腹管４による上方付勢の際には係止突条35は案内筒13下面に液密に係止される。従って、蛇腹管４は図１の係止状態では上方へ最大限引き伸ばされた状態にあり、使用時の伸縮の際には若干縮んだ状態で行われる。
また、ステム５内上部には吐出弁Ｂを設けている。この吐出弁Ｂは、ステム内上部に突設した弁座36上にその弁口を閉塞して上下動可能に合成樹脂製の玉状弁体37を載置させて構成している。
【００１９】
押し下げヘッド７は、ステム５より導入された液を前端のノズル６より噴出するとともに、押し下げて内部のポンプ機構を作動させるためのもので、本実施例ではステム上端外周に液密に嵌着させた縦筒38を頂壁39裏面中央より垂設するとともに、頂壁周縁部から縦筒途中位置まで垂下壁40を垂設し、縦筒上部に基端部を開口したノズル６を垂下壁を貫通して前方へ突出させている。また、頂壁39裏面中央より玉状弁体37の上下動を規制する棒状突起41を垂設している。
【００２０】
本実施例に於いてノズル６は、前方突出状態から下方垂下状態に回動可能に構成するとともに、前方突出状態でのみノズル孔とステム５内とが連通する如く構成し、ノズル垂下状態で先端が支持ケース３の頂板部12上面に係止されヘッドの押し下げが不能に構成している。本実施例では、ヘッド７の縦筒38前部に別体に設けたノズル６の基端部両側を枢着させ、その端面を円弧面に形成するとともに、縦筒38前面に穿設した透孔42前端開口部分の壁面を上記円弧面が摺動可能な円弧面に形成し、ノズル６が前方突出状態の時はノズル孔と透孔42が連通し、ノズル６を下方へ回動させるとその円弧面が透孔42を閉塞する如く構成している。また、ノズルを下方へ垂下させた際に、ステム５の上記上向き段部33と案内筒13の下向き段部34とが当接する位置で頂板部12上面にその先端が当接する如く構成している。
【００２１】
上記の如く構成したポンプ１は、保管，運搬等の不使用時には、ノズル６を回動垂下させてその先端を頂板部12上面に当接した状態にしておく。また、使用する時は、ノズル６を起立させてその基端開口を透孔42と連通させ、ついで押し下げヘッドを何回か上下動させて初期作動を行い、蛇腹管４内に容器体内の液を導入して準備を整える。次いで押し下げヘッドを押し下げると、蛇腹管が圧縮して蛇腹管内の加圧液がステム５を通り吐出弁Ｂを開いてノズル６より噴出する。次いでヘッドの押圧を解除すると蛇腹管４の弾性復元力でステム５及びヘッド７が上昇し、蛇腹管内が負圧化するため容器体内の液が吸い込み弁Ａを開いて導入される。
また、この際液の減少により負圧化する容器体内へ、案内筒13とステム５の間を通り窓孔11より外気が導入される。
【００２２】
図７に示す実施例は装着筒２を回動不能に固定させた場合を示し、支持ケース３を、ケース本体15a と、装着筒部材17a とで構成している。ケース本体15a は、上記図１の実施例に於いて、フランジ20を周壁上端縁より外方へ延設した以外同様構成としている。また、装着筒部材17a は、口頚部９外周に嵌合する装着筒２の上端縁より内方へ、ケース本体の頂板部12を兼ねる頂板部12b を延設し、その中央に同様の案内筒13を貫設して構成している。そして、装着筒部材17a の頂板部12b 裏面より垂設したシール筒43をケース本体周壁19内面上端に密嵌するとともに、装着筒２内面上端をケース本体のフランジ20外周縁に密嵌させて嵌着固定している。その他の構成は上記実施例と同様であるため、同符号を付して説明を省く。
【００２３】
また、図８に示す実施例は、ステム５の下部外周と、上記案内筒13内面との間に回り止め機構Ｃを施している。この回り止め機構Ｃとして、ステム５外周に凹溝44を縦設し、一方支持ケース３の案内筒13内面に縦突条45を縦設し、該縦突条を上記凹溝44内に上下動可能に嵌合させ、ステムが支持ケース３に対して上下動はするが回動しない様に構成している。
【００２４】
また、ステム５上端の嵌合位置をヘッド７の縦筒38内上部まで延設するとともに、液密且つ回動可能に嵌合させ、その上部に穿設した連通孔46とノズル基端開口とをヘッド７のステム５に対する回動により連通させてノズルの開閉を行う如く構成している。
【００２５】
更に、上記棒状突起41外面上部と縦筒38内面上部との間に係止板部47を掛け渡し、ステム５上端に設けた切欠き48内にこの係止板部47を挿入してヘッドの回動を規制している。従って、上記係止板部47が切欠き48の一側部へ当接する状態では、ノズル６の基端開口が上記連通孔46とズレた位置にあり、ステム５の上端部により液密に閉塞されてステム内とノズル内とが遮断され、また、係止板部47が切欠き48の他側部へ当接する状態に回動されると、連通孔46とノズル基端開口とが連通して液の噴出が可能となる如く構成している。
【００２６】
また、本実施例では、スペーサー49を設けている。このスペーサーは、押し下げヘッド７の下部に介在させて、ヘッドの押し下げを不能にするためのもので、一端を開口したリング状基部50後部外面より把手51を突設して構成しており、基部50を押し下げヘッド７の縦筒38下部及びステム５上部外面にスナップフィット式に嵌合させ、その上面を縦筒38外面に設けた下向きの段部に係止させるとともに、下面を支持ケース３の頂板部12上面に係止させて装着している。
その他の構成は図１に示す実施例と同様であるため、同符号を付して説明を省く。
【００２７】
【発明の効果】
以上説明した如く本発明液体噴出ポンプは、装着筒２を容器体口頚部９外周に嵌合させて装着固定させるとともに、頂板部12中央を貫通する案内筒13を設け、且つ、容器体内に垂下させた周壁に複数の窓孔11を穿設してなる筒状の支持ケース３と、該支持ケース底部中央に設けた吸い込み弁Ａ周囲の支持ケース底部に下端を嵌着固定させて上方へ伸縮可能に起立させた蛇腹管４と、上記蛇腹管上端に下端を連結して上下動自在に支持させるとともに、上記案内筒13を介して支持ケース３の頂板部12上方に上端を突出し、且つ、内部に吐出弁Ｂを形成してなるステム５と、該ステム上端に嵌着固定したノズル６付き押し下げヘッド７とを備え、蛇腹管４の伸長状態でステム外周下端を案内筒13内周下端に摺接係止可能に構成し、全体を合成樹脂により形成したので、従来品の様な金属部材がないため、廃棄の際の分別処理を必要とせず、しかも、蛇腹管は伸長状態で保管できるため、使用時に蛇腹管がへたることがなく、良好な弾性伸縮作用を行え、液体噴出機能は良好に発揮できる。また、支持ケース周壁に設けた窓孔の存在で、支持ケースを軽量化できる。
【００２８】
また、上記案内筒13内面に周設した下向き段部34にステム５外面下端部に周設した上向き段部33を当接係止させるとともに、上記上向き段部33下方の外周に突周設した係止突条35外面を上記下向き段部34下方の案内筒13内面に摺接させて、蛇腹管４の伸張状態でステム外周下端を案内筒13内面下端に摺接係止させてなるものにあっては、余分な押し下げヘッドの引き上げをしなくて済み、蛇腹管をしかるべき長さに確実に伸張させておくことが出来るため、更に確実な蛇腹管の弾性伸縮作用を行えるものである。
【００２９】
また、上記ノズル６を、前方突出状態から下方垂下状態に回動可能に構成するとともに、前方突出状態でのみノズル孔とステム５とが連通する如く構成し、ノズル垂下状態で先端が支持ケースの頂板部12上面に係止されてヘッドの押し下げが不能に構成してなるものにあっては、上記スペーサーの存在がなくても、ステムと案内筒の摺接を確実にし、外力でヘッドが押し下げられる虞はなく、良好な液漏れ防止を図れる。
【００３０】
また、上記ステム５と支持ケース３との間にステムの上下動が可能で且つ回動を不能にする回り止め機構Ｃを設けるとともに、上記押し下げヘッド７をステム５上端外周に液密且つ回動可能に嵌合させ、且つ、ステム５上部に穿設した連通孔46とノズル基端開口とをヘッド７のステム５に対する回動により連通させてノズル６の開閉を行う如く構成してなるものにあっては、ヘッドを回動するという極めて簡単な操作で、ノズルの開閉を行えるとともに、誤って押し下げヘッドを押し下げてもノズル孔からの液の漏出を防止出来る。
【００３１】
更に、上記ステム５外周下端を案内筒13内周下端に摺接係止した状態でヘッド下部に着脱可能にスペーサー49を介在させてなるものにあっては、ステムと案内筒の摺接を確実にし、外力でヘッドが押し下げられる虞はなく、良好な液漏れ防止を図れるものである。
【図面の簡単な説明】
【図１】  本発明の一実施例を示す一部切欠き半断面図である。
【図２】  同実施例の分解切欠き斜視図である。
【図３】  同実施例のステム摺接部分の要部拡大断面図である。
【図４】  同実施例の平面図である。
【図５】  本発明の他の吸い込み弁を示す要部半断面図である。
【図６】  同実施例の分解切欠き斜視図である。
【図７】  本発明の更に他の実施例を示す一部切欠き半断面図である。
【図８】  本発明の更に他の実施例を示す一部切欠き半断面図である。
【符号の説明】
２…装着筒，３…支持ケース，４…蛇腹管，５…ステム，６…ノズル，
７…押し下げヘッド，８…容器体，９…口頚部，12…頂板部，13…案内筒，
33…上向き段部，34…下向き段部，35…係止突条，46…連通孔，
49…スペーサー，Ａ…吸い込み弁，Ｂ…吐出弁，Ｃ…回り止め機構
【図１】
0003924821.tif 000002
【図２】
0003924821.tif 000003
【図３】
0003924821.tif 000004
【図４】
0003924821.tif 000005
【図５】
0003924821.tif 000006
【図６】
0003924821.tif 000007
【図７】
0003924821.tif 000008
【図８】
0003924821.tif 000009